(57)【特許請求の範囲】
【請求項１】
トレイの出退に連動して前記トレイに載置されたディスクをターンテーブルにセットするディスク移送機構であって、
前記トレイを出退方向に支持する基台と前記トレイの間にトレイを基台から押し出す方向に付勢するバネと、
前記トレイを前記バネの付勢に抗してローディング完了位置に係止状態とするロック手段と、
前記ローディング完了位置における前記ロック手段による前記係止状態を解除して、ディスクをターンテーブルからトレイに受け渡す位置またはその近傍位置までの過程で、前記トレイの移動速度を減速させるダンパー手段とを設け、
前記ローディング完了位置から前記トレイをディスク着脱位置に移動させる際に、前記バネの付勢力による移動速度を減速するように構成した
ディスク移送機構。
【請求項２】
前記ロック手段は、基台に取り付けられた操作レバーでローディング完了位置のロック状態を解除操作するように構成しており、
前記トレイに形成された係合部に係合してトレイをローディング完了位置に係止する第１のロック片と、
前記操作レバーの操作で前記係止が解除されて移動を始めたトレイに連動しているターンテーブルの昇降機構に係合する第２のロック片と
で構成した請求項１記載のディスク移送機構。
【発明の詳細な説明】
【０００１】
【発明の属する技術分野】
本発明は、ディスクの装着と排出を行うトレイを有しているディスク移送機構に関するものである。
【０００２】
【従来の技術】
特開昭６３−１９１３６１号公報に記載されたディスク移送機構は、装置本体から引き出されたディスク着脱位置と装置本体の内部に引き込まれた位置との間を水平移動するトレイと、このトレイに設けられてディスクが載置されるディスクホルダーとを有している。
【０００３】
装置本体には、このほかにディスクを回転駆動するターンテーブルと、このターンテーブルとでディスクを挟持するクランパと、光ピックアップとこの光ピックアップをディスクの径方向に移動させるトラバース機構などが設けられている。
【０００４】
トレイとディスクホルダーとの関係は、前記トレイが水平移動してディスクホルダーに載置されたディスクの中央孔がターンテーブルの直前位置にさしかかって更にトレイが奥端に向かって水平移動するときに、ディスクホルダーはターンテーブルに向かって降下を始めて、固定側に設けられているターンテーブルにディスクの受け渡し（ローディング）を実施して、ターンテーブルとクランパとでディスクを挟持するように構成されている。
【０００５】
また、特開昭６３−１９１３６１号公報では、バネの付勢力でトレイを押し出してディスクの排出を実施しており、このバネの付勢力によってトレイが急激な速度で押し出されないようにダンパーが介装されている。
【０００６】
【発明が解決しようとする課題】
このようなディスク移送機構においては、ダンパーが介装されてトレイの押し出しが減速されてはいるものの、ターンテーブル９から取り外されたディスクをトレイの正常な位置に受け渡せない状態が発生し易く、ディスクの着脱の信頼性が低いものである。
【０００７】
本発明は、トレイをバネの付勢力で押し戻す場合にも、ディスクの着脱の信頼性が高いディスク移送機構を提供することを目的とする。
【０００８】
【課題を解決するための手段】
本発明のディスク移送機構は、トレイの出退に連動して前記トレイに載置されたディスクをターンテーブルにセットするディスク移送機構であって、前記トレイを出退方向に支持する基台と前記トレイの間にトレイを基台から押し出す方向に付勢するバネと、前記トレイを前記バネの付勢に抗してローディング完了位置に係止状態とするロック手段と、前記ローディング完了位置における前記ロック手段による前記係止状態を解除して、ディスクをターンテーブルからトレイに受け渡す位置またはその近傍位置までの過程で、前記トレイの移動速度を減速させるダンパー手段とを設け、前記ローディング完了位置から前記トレイをディスク着脱位置に移動させる際に、前記バネの付勢力による移動速度を減速するように構成したことを特徴とする。
【０００９】
この構成によると、ディスクの着脱の信頼性が高いディスク移送機構を実現できる。
【００１０】
【発明の実施の形態】
請求項１記載のディスク移送機構は、トレイの出退に連動して前記トレイに載置されたディスクをターンテーブルにセットするディスク移送機構であって、前記トレイを出退方向に支持する基台と前記トレイの間にトレイを基台から押し出す方向に付勢するバネと、前記トレイを前記バネの付勢に抗してローディング完了位置に係止状態とするロック手段と、前記ローディング完了位置における前記ロック手段による前記係止状態を解除して、ディスクをターンテーブルからトレイに受け渡す位置またはその近傍位置までの過程で、前記トレイの移動速度を減速させるダンパー手段とを設け、前記ローディング完了位置から前記トレイをディスク着脱位置に移動させる際に、前記バネの付勢力による移動速度を減速するように構成したことを特徴とする。
【００１１】
請求項２記載のディスク移送機構は、請求項１において、前記ロック手段は、基台に取り付けられた操作レバーでローディング完了位置のロック状態を解除操作するように構成しており、前記トレイに形成された係合部に係合してトレイをローディング完了位置に係止する第１のロック片と、前記操作レバーの操作で前記係止が解除されて移動を始めたトレイに連動しているターンテーブルの昇降機構に係合する第２のロック片とで構成したことを特徴とする。
【００１２】
以下、本発明の実施の形態を図１〜図１３に基づいて説明する。
図１はトレイ１が、基台２からを引き出されたディスク着脱位置にある状態のディスク移送機構を示し、図２はトレイ１がローディング完了位置に水平移動した状態を示している。
【００１３】
なお、この実施の形態のディスク移送機構は、トレイ１の駆動にモータを使用せずに引っ張りバネ３を図３に示すように基台２のバネ係止部４とトレイ１の奥端側の裏面に形成されたバネ係止部５との間に掛け渡されており、引っ張りバネ３の中間部分は、基台２に回転自在に枢支された溝付きローラ６，７を経由して掛張されている。
【００１４】
基台２の前端部に形成された軸４４には第１のダンパーとしてのダンパー歯車４５が取り付けられており、このダンパー歯車４５の歯部はトレイ１の裏面に前端部から奥端部にわたって形成されたラック４６に噛合している。軸４４には粘性の高いグリースが塗布されている。
【００１５】
８は演奏装置で、ディスクを回転駆動するターンテーブル９と、光ピックアップ１０とこの光ピックアップをディスクの径方向に移動させるトラバース機構（図示せず）などをユニットにして構成されている。
【００１６】
図４と図５に示すように、基台２の上面でトレイ１によって覆われる位置には、スライダー１１ａ，１１ｂがトレイ１の出退方向にスライド自在に設けられており、スライダー１１ａ，１１ｂの奥端の相互間は、中央が基台２の軸１２に回動自在に枢支された連結レバー１３を介して連結されており、連結レバー１３は基台２の突起１４との間に介装されたバネ１５によってスライダー１１ａを基台２の前端側（矢印Ａ方向）に押し出し、スライダー１１ｂを基台２の奥端側（矢印Ｂ方向）に引き込む方向に付勢されている。
【００１７】
スライダー１１ａの前端寄りで内側の一部にはカム溝１６ａが形成されている。スライダー１１ｂの前端寄りと奥端寄りの内側にはカム溝１６ｂ，１６ｃが形成されている。カム溝１６ａとカム溝１６ｂは互いに逆方向で、カム溝１６ｂ，１６ｃは同方向のカム溝である。
【００１８】
前記演奏装置８のハウジングには水平軸１７ａ，１７ｂ，１７ｃが形成されており、この水平軸１７ａ〜１７ｃが基台２に形成されたガイド１８ａ，１８ｂ，１８ｃの縦溝１９に係合して演奏装置８は昇降自在に基台２に支持されている。水平軸１７ａ〜１７ｃの先端はカム溝１６ａ〜１６ｃに係合している。
【００１９】
このように構成したため、トレイ１を引っ張りバネ３の付勢に抗して基台２の奥端側に押し込むと、図６の（ａ）〜（ｃ）に示すような工程でスライダー１１ａ，１１ｂが連動してスライドする。
【００２０】
詳しくは、トレイ１を奥端側に押し込むと、図６の（ａ）に示す状態から図６の（ｂ）に示すようにトレイ１の裏面に設けた突起２０がスライダー１１ａの係合部２１に係合し始める。さらにトレイ１を押し込むと、図６の（ｃ）に示すようにスライダー１１ａが奥端側（矢印Ｂ方向）へスライドし、スライダー１１ｂが前端側（矢印Ａ方向）へスライドし、トレイ１の押し込みに伴ったスライダー１１ａ，１１ｂの前後動によって、演奏装置８のハウジングは下降位置から上昇位置へ移動する。
【００２１】
図５に示すようにトレイ１の前端にはスライド孔２２が穿設されており、このスライド孔２２にディスク受け部材２３の裏面に突出して形成された突部２４を挿入して、図７に示すようにトレイ１の裏面でトレイ１とディスク受け部材２３の突部２４との間にバネ２５を介装して、ディスク受け部材２３がトレイ１の奥端側に付勢されている。
【００２２】
トレイ１が奥端まで押し込まれると、基台２に設けられてバネ２６で付勢された操作レバー５０に形成されているロック爪２７が、トレー１の前端に設けた係合部２８に係合してロックされる。詳しくは、図１３の（ａ）に示すようにトレイ１が奥端側（矢印Ｂ方向）に押し込まれてトレー１の係合部２８がロック爪２７に当設すると、ロック爪２７はバネ２６の付勢に抗して後方へ回転し、トレー１の係合部２８が通過するとロック爪２７はバネ２６の付勢力によって図１３の（ｂ）に示すように自己復帰してトレイ１をローディング位置に係止している。操作レバー５０を操作してバネ２６の付勢に抗してロック爪２７を図１３の（ｃ）に示すように後方へ回動させると、ロック爪２７とトレイ１の係合部２８との係合が外れて、トレイ１は引っ張りバネ１３の付勢力でディスク着脱位置に復帰する。この際には、演奏装置８のハウジングは上昇位置から下降位置へ移動する。
【００２３】
また、図５に示すように基台２の奥端部に形成された軸４７には、第２のダンパーとしてのダンパー歯車４８が取り付けられており、このダンパー歯車４８の歯部はスライダー１１ａの奥端部にだけ形成されたラック４９に噛合している。軸４７には粘性の高いグリースが塗布されている。
【００２４】
基台２に対するトレイ１の水平移動の機構、ならびにこれに連動した演奏装置８の昇降機構は上記のようであるが、トレイ１はさらに次のように構成されている。
【００２５】
トレイ１は、図１に示すように大径ディスク受け部２９と、この大径ディスク受け部２９の中に大径ディスク受面３０よりも低い受け面３１の小径ディスク受け部３２が形成されている。さらに、トレイ１の前端部にスライド自在に設けられたディスク受け部材２３には、大径ディスク位置決め突起３３ａと小径ディスク位置決め突起３３ｂとが形成されている。
【００２６】
図８は大径ディスク３４をローディングする場合の工程を示し、カム溝１６ａ，１６ｂ，１６ｃの形状は次のように形成されている。
図８の（ａ）では、ディスク着脱位置に引き出されたトレイ１に大径ディスク３４が載置される。このとき、大径ディスク３４はディスク受け部材２３の大径ディスク位置決め突起３３ａと大径ディスク受け部２９とで規定された内側に載置される。
【００２７】
引っ張りバネ３に抗してトレイ１が押し込まれ、図６の（ｂ）に示したようにトレイ１の突起２０がスライダー１１ａの係合部２１に当設してさらにトレイ１が奥端側に押し込まれると、トレイ１の奥端側への水平移動に伴ってスライダー１１ａが奥端側にスライドしてスライダー１１ｂが前端側にスライドして、演奏装置８が上昇を始める。
【００２８】
図８の（ｂ）を経て図８の（ｃ）に示すように、トレイ１に載置された大径ディスクの中心孔３５がターンテーブル９の上方位置に到達した時点にディスク受け部材２３の突部２４が基台２の係止片３６に当設する。この状態でトレイ１が更に奥端側に押し込まれると、図８の（ｄ）に示すようにバネ２５の付勢に抗してディスク受け部材２３とトレイ１との相対位置が変化する。
【００２９】
つまり、大径ディスクの中心孔３５がターンテーブル９に係合し始めるまでは、トレイ１における大径ディスク３４の位置が、ディスク受け部材２３の位置決め突起３３ａで位置ズレしないように正確に保持され、大径ディスクの中心孔３５にターンテーブル９が係合し始めると、ディスク受け部材２３の突部２４が係止片３６に当設して図８の（ｃ）と同じ位置に停止している状態で、トレイ１だけが奥端側にスライドして、大径ディスク３４とディスク受け部材２３の位置決め突起３３ａとの相対関係が変化しない安定した状態で、図８の（ｄ）に示すように大径ディスク３４の中心孔３５へのターンテーブル９の挿入が完了する。
【００３０】
図８の（ｄ）からさらにトレイ１が奥端側に押し込まれると、図８の（ｅ）に示すように演奏装置８がさらに上昇して、大径ディスク３４がターンテーブル９によってトレイ１の上面から持ち上げられ、クランパー３７とターンテーブル９とで挟持されて回転駆動される。
【００３１】
なお、カム溝１６ａ，１６ｂ，１６ｃの終端部の形状は、クランパー３７とターンテーブル９とで大径ディスク３４を挟持した後にもトレー１が奥端側に僅かに水平移動を続けるように形成されている。
【００３２】
大径ディスク３４を取り出す際には、操作レバー５０を操作して前記ロック爪２７とトレイ１の係合部２８との係合を解除すると、トレイ１は引っ張りバネ１３の付勢力でディスク着脱位置に復帰する。この過程は、図６の（ｄ）〜図６の（ａ）に向かう逆工程で実施される。
【００３３】
詳しくは、ローディング完了状態の図６の（ｄ）では、連結レバー１３に形成された突起５１がトレイ１の裏面に形成された突起５２に係合する位置にあり、操作レバー５０を操作してロック爪２７とトレイ１の係合部２８との係合が解除されると、トレイ１は、連結レバー１３を図６の（ａ）の状態に付勢するバネ１５の付勢力とトレイ１を付勢している引っ張りバネ３の付勢力とを動力源として、突起５１と突起５２との係合が外れるまではダンパー歯車４８，４５のダンパー力で減速されながらトレイ１が緩やかに動き始め、この際のスライダー１１ａ，１１ｂの緩やかなスライド移動によって演奏装置８が緩やかに下降を始めて、ターンテーブル９からトレイ１に大径ディスク３４が正しい姿勢で確実に受け渡しされる。
【００３４】
大径ディスク３４がトレイ１に正しい姿勢で受け渡しされる位置を過ぎて突起５２が突起５１から外れると、それ以降のトレイ１の移動系にはダンパー歯車４８が作用しなくなって、トレイ１はダンパー歯車４５で減速されながら引っ張りバネ３の付勢力を動力源として図１に示す位置にまで押し出される。
【００３５】
さらに、前記のダンパー歯車４８，４５がより有効に作用するように、トレー１の係合部２８と基台１の側のロック爪２７との係止が解除されてトレイ１が引っ張りバネ３の付勢力でディスク受け取り位置またはその近傍位置に移動した状態で前記ダンパー手段によって減速されて移動したトレイの移動速度を一旦減速させる排出制御手段が設けられている。
【００３６】
この排出制御手段は、図３と図６に示すようにスライダー１１ｂに係止突起５８が形成されており、ロック爪２７が形成されている操作レバー５０には、演奏装置８の昇降機構として作用しているスライダー１１ｂの係止突起５８に係合可能な係止片５９が更に形成されている。
【００３７】
ディスクの排出に際して操作レバー５０が図１３の（ｃ）に示すように操作されて後方に回動して、トレイ１の係合部２８とロック爪２７との係合が解除されてトレイ１が基台２の前端方向（矢印Ａ方向）に移動してスライダー１１ｂが奥端方向（矢印Ｂ方向）に移動し始めると、操作レバー５０のロック爪２７にスライダー１１ｂの係止突起５８が係合してスライダー１１ｂの矢印Ｂ方向への移動が禁止される。
【００３８】
ディスク排出工程では図６の（ｄ）に示したように連結レバー１３の突起５１がトレイ１の突起５２に係合する位置関係にあるため、スライダー１１ｂの移動が禁止されると連結レバー１３を介してトレイ１の矢印Ａ方向への移動も禁止される。このように操作レバー５０を押し込んだ状態でトレイ１が一時停止する位置は、ターンテーブル９からディスクがトレイ１に受け渡される位置またはその近傍位置であって、操作レバー５０の押し込みを解除すると図１３の（ｄ）に示すように操作レバー５０がバネ２６の付勢力で復帰し、操作レバー５０のロック爪２７とスライダー１１ｂの係止突起５８との係合が解除されてスライダー１１ａ，１１ｂとトレイ１が引っ張りバネ３の付勢力を動力源としてそれぞれディスク排出方向に移動を再開する。
【００３９】
このように、ターンテーブル９からディスクがトレイ１に受け渡される位置またはその近傍位置からトレイ１がダンパー歯車４８，４５の制動を受けて動き始める。一般に、粘性の高いグリースによって制動力を発生しているダンパー歯車４８，４５は、回転始めには回転中よりも大きな制動力が発生するので、トレイ１がターンテーブル９からディスクを受け取る際のトレイ１の移動速度は、その後のトレイ１の移動速度よりも遅くなるように制動されることとなって、ディスクがトレイ１に安定に載置されて、この受け渡しの際にディスクがトレイ１の上で跳ねたりするような事態の発生を回避できる。
【００４０】
ディスクがトレイ１に載った後は、操作レバー５０のロック爪２７とスライダー１１ｂの係止突起５８との係合による一時停止の解除の直後よりも早い速度で排出される。
【００４１】
以上の説明は、大径ディスク３４を安定にローディングすることができるトレイ１とディスク受け部材２３とターンテーブル９との相互関係を説明したが、小径ディスクの場合も同様に安定にローディングできるように、次のように構成されている。
【００４２】
トレイ１における大径ディスク載置面３０と小径ディスク載置面３１では、小径ディスク載置面３１が大径ディスク載置面３０よりも下面に形成されている。トレイ１の出退と演奏装置８の昇降のタイミングとは、大径ディスクの場合と小径ディスクの場合とで変化しない。
【００４３】
小径ディスク受け部３２の中心３８と大径ディスク受け部２９の中心３９を同一にしてしまうと、ディスクの高さが異なるために小径ディスクの下面とターンテーブル９の上面が一致する位置、及びターンテーブル面が小径ディスクの下面にくる位置では、トレイ１が移動するのでターンテーブル９の中心とディスクの中心穴が一致しないという問題が発生して小径ディスクを安定にローディングできない。
【００４４】
そこで、この実施の形態では図９に示すように、トレイ１における小径ディスク受け部３２の中心３８を大径ディスク受け部２９の中心３９よりも奥端側になるように形成して小径ディスクを安定にローディングできるようにしている。
【００４５】
このように、小径ディスク受け部３２の中心３８と大径ディスク受け部２９の中心３９の中心位置ををずらす構成により、トレイ１が移動してもターンテーブル９の中心とディスクの中心穴が一致して安定にローディングできる。
【００４６】
図１０の（ａ）〜（ｅ）が小径ディスク４０のローディングの過程を示しており、図８の（ａ）〜（ｅ）に示した大径ディスク３４のローディング過程に対応している。
【００４７】
図１０の（ａ）において、小径ディスク４０は前面をディスク受け部材２３の受け部３３ｂにより、後面をトレイ１の大径ディスク載置面３０と小径ディスク載置面３１との段差４１によって位置決めされている。
【００４８】
次に図１０の（ｂ）に示す状態で演奏装置８が上昇し始める。
小径ディスク４０は大径ディスク３４より低い位置にあるので、図８の（ｃ）に示す位置に到達する前に図１０の（ｃ）に示すように小径ディスク４０の中心孔４２がターンテーブル９の中心に合致し、演奏装置８が少し上昇し小径ディスク４０の下面とターンテーブル９の上面が一致する。
【００４９】
図１０の（ｃ）に示す位置から図８の（ｃ）に示す位置へはトレイ１が移動するので、その量だけ小径ディスク受け面３１の中心３８が大径ディスク受け面３０の中心３９よりトレイ１の奥端側になる。
【００５０】
またディスク受け部材２３の突部２４が基台２の係止片３６に当設する。この状態でトレイ１が更に奥端側に押し込まれると、図１０の（ｄ）に示すようにバネ２５の付勢に抗してディスク受け部材２３とトレイ１との相対位置が変化し、トレイ１がさらに押し込まれても同じ位置にとどまる。
【００５１】
次の図８の（ｃ）位置は小径ディスク４０には通過点に過ぎない。さらに、大径の図８の（ｄ）位置についても同様で、小径ディスクは大径ディスクより低い位置にあるので、ターンテーブル９が小径ディスク４０の下面にくる位置は図８の（ｄ）位置よりも前である。そのときも、ディスク受け面は移動しないので中心はずれない。
【００５２】
さらに図１０の（ｅ）位置ではクランパー３７で小径ディスク４０を挟み込み、演奏可能となる。
逆に排出過程も同様であるが、図１０の（ｅ）〜（ｄ）へターンテーブル９が下降するときもトレイ１は移動するが、ディスク受け面が移動していないのでトレイの所定の位置に返却できる。また、この小径ディスクの排出過程においてもダンパー歯車４８，４５の大きなダンパー力でトレイ１が緩やかに動き始め、ターンテーブル９からトレイ１に小径ディスク４０が正しい姿勢で確実に受け渡しされる。
【００５３】
以上のように大径と小径のディスク受け面のセンターをずらす構成により、トレイが移動しても、ターンテーブル９の中心とディスクの中心孔が一致して、動作できる。
【００５４】
特に、小径ディスク４０は大径ディスクに比べて質量が少ないため、排出工程においてトレイ１にディスクが載置された際に跳ねて位置ズレしやすいと云う問題があるが、図１３の（ｃ）（ｄ）などを用いて説明したように排出開始の直後にトレイ１を一時停止させるので、跳ねて位置ズレしやすい小径ディスク４０であってもトレイ１の正しい位置に載せて排出できる。
【００５５】
上記の実施の形態では、ディスクの排出工程で操作レバー５０を押している期間中にはトレイ１を完全停止させたが、トレイ１がディスク受け取り位置またはその近傍位置に移動した状態でダンパー歯車４８，４５の制動特性の非直線部分の大きな制動力が発生するようにトレイを完全停止させずに減速させるように排出制御手段を構成することによっても同様の作用効果を期待できる。
【００５６】
上記の各実施の形態では、スライダー１１ａに噛合するダンパー歯車４８とトレイ１のラック４６に噛合するダンパー歯車４５とで、ディスク排出時のトレイ１の移動速度を適正に制限したが、これは図１１に示すように、前記ダンパー歯車４５と、トレイ１の前端部だけに形成されたラック５３に係合するダンパー歯車５４との併用によっても同様の作用を期待できる。ダンパー歯車５４は基台２の軸５５に取り付けられ、軸５５には粘性の高いグリースが塗布されている。
【００５７】
また、図１２は上記の実施の形態における図６に相当する部分の別の実施の形態の断面を示しており、この図１２に示すように連結レバー１３の裏面に歯５６を形成し、これに噛合するダンパー歯車５７と、これとは別に前記ダンパー歯車４５との併用によっても同様の作用を期待できる。
【００５８】
【発明の効果】
請求項１記載のディスク移送機構は、トレイの出退に連動して前記トレイに載置されたディスクをターンテーブルにセットするディスク移送機構であって、前記トレイを出退方向に支持する基台と前記トレイの間にトレイを基台から押し出す方向に付勢するバネと、前記トレイを前記バネの付勢に抗してローディング完了位置に係止状態とするロック手段と、前記ローディング完了位置における前記ロック手段による前記係止状態を解除して、ディスクをターンテーブルからトレイに受け渡す位置またはその近傍位置までの過程で、前記トレイの移動速度を減速させるダンパー手段とを設け、前記ローディング完了位置から前記トレイをディスク着脱位置に移動させる際に、前記バネの付勢力による移動速度を減速するように構成したため、バネの付勢力でディスクを排出するにもかかわらず、ターンテーブルからトレイにディスクが正しい姿勢で確実に受け渡しすることができる。
【図面の簡単な説明】
【図１】本発明の実施の形態のディスク移送機構のトレイを引き出した状態の斜視図
【図２】同実施の形態のトレイを押し込んだ状態の斜視図
【図３】同実施の形態のトレイを基台から取り外した分解斜視図
【図４】同実施の形態のディスク移送機構を背面側（奥端側）から見た斜視図
【図５】同実施の形態のディスク移送機構の全体の分解斜視図
【図６】同実施の形態のローディング過程における連結レバー付近の平面図
【図７】同実施の形態のトレイの前端の裏面の平面図
【図８】同実施の形態の大径ディスクローディング過程におけるトレイとディスクとターンテーブルの関係を示す断面図
【図９】同実施の形態のトレイの平面図
【図１０】同実施の形態の小径ディスクローディング過程におけるトレイとディスクとターンテーブルの関係を示す断面図
【図１１】別の実施の形態の要部の分解斜視図
【図１２】さらに別の実施の形態の要部の断面図
【図１３】トレイの係止機構と排出制御手段を示す工程図
【符号の説明】
１    トレイ
２    基台
Ａ    基台２の前端側
Ｂ    基台２の奥端側
３    引っ張りバネ
４    基台２のバネ係止部
５    トレイ１のバネ係止部
６，７    溝付きローラ
８    演奏装置
９    ターンテーブル
１０    光ピックアップ
１１ａ，１１ｂ    スライダー
１２    基台２の軸
１３    連結レバー
１４    基台２の突起
１５    バネ
１６ａ    スライダー１１ａのカム溝
１６ｂ，１６ｃ    スライダー１１ｂのカム溝
１７ａ，１７ｂ，１７ｃ    演奏装置８のハウジングの水平軸
１８ａ，１８ｂ，１８ｃ    基台２に形成されたガイド
１９    ガイド１８ａ〜１８ｃの縦溝
２０    トレイ１の突起
２１    スライダー１１ａの係合部
２２    基台２のスライド孔
２３    ディスク受け部材
２４    ディスク受け部材２３の突部
２５，２６    バネ
２７    ロック爪
２８    トレー１の係合部
２９    トレイ１の大径ディスク受け部
３０    大径ディスク受面
３１    小径ディスク受け面
３２    小径ディスク受け部
３３ａ    ディスク受け部材２３の大径ディスク位置決め突起
３３ｂ    ディスク受け部材２３の小径ディスク位置決め突起
３４    大径ディスク
３５    大径ディスクの中心孔
３６    基台２の係止片
３７    クランパー
３９    大径ディスク受け部２９の中心
３８    小径ディスク受け部３２の中心
４０    小径ディスク
４１    トレイ１の大径ディスク載置面３０と小径ディスク載置面３１との段差
４２    小径ディスク４０の中心孔
４３    ラック
４４    基台２の軸
４５    ダンパー歯車
４６    ラック
４７    基台２の軸
４８    ダンパー歯車
４９    ラック
５０    操作レバー
５１    連結レバー１３の突起
５２    トレイ１の突起
５８    スライダー１１ｂの係止突起
５９    操作レバー５０の係止片
【図１】
0003729631.tif 000002
【図２】
0003729631.tif 000003
【図３】
0003729631.tif 000004
【図４】
0003729631.tif 000005
【図５】
0003729631.tif 000006
【図６】
0003729631.tif 000007
【図７】
0003729631.tif 000008
【図８】
0003729631.tif 000009
【図９】
0003729631.tif 000010
【図１０】
0003729631.tif 000011
【図１１】
0003729631.tif 000012
【図１２】
0003729631.tif 000013
【図１３】
0003729631.tif 000014